(57)【要約】【課題】水平方向の解像度が良好であるとともに、色空間領域を拡大して、色再現性を良好にすることが出来、輝度も良好である表示パネルを提供する。【解決手段】表示パネルの画面において、走査ラインの一ライン目の１ピクセルがＲ、Ｇ、Ｂ及びＣのサブピクセルから構成され、次ラインの１ピクセルがＲ、Ｇ、Ｂ及びＹｅのサブピクセルから構成されており、ＣのサブピクセルとＹｅのサブピクセルとが垂直方向に交互に配されている。ＹｅのサブピクセルとＣのサブピクセルとが走査ラインに垂直方向に交互に配されるので、良好な水平解像度を保持するとともに、色空間領域を拡大して、色再現性を良好にすることが出来る。【選択図】図１
2008064988.tif 000002
【特許請求の範囲】
【請求項１】
５色の異なる原色を用いたサブピクセルを含むピクセルにより画像が構成される表示パネルにおいて、
赤、緑、青及びシアンのサブピクセルから構成されるピクセルを有する走査ラインと、赤、緑、青及び黄のサブピクセルから構成されるピクセルを有する走査ラインとが交番的に配されていることを特徴とする表示パネル。
【請求項２】
シアンのサブピクセルに走査ライン上で隣接するサブピクセルは、青及び緑のサブピクセルであり、
黄のサブピクセルに走査ライン上で隣接するサブピクセルは、緑及び赤のサブピクセルである請求項１に記載の表示パネル。
【請求項３】
５色の異なるカラーフィルタ層を用いたサブピクセル領域を含むピクセル領域を有するカラーフィルタ部を備える表示パネルにおいて、
赤、緑、青及びシアンのカラーフィルタ層を用いたサブピクセル領域から構成されるピクセル領域を有する走査ラインと、赤、緑、青及び黄のカラーフィルタ層を用いたサブピクセル領域から構成されるピクセル領域を有する走査ラインとが交番的に配されていることを特徴とする表示パネル。
【請求項４】
シアンのカラーフィルタ層を用いたサブピクセル領域に走査ライン上で隣接するサブピクセル領域は、青及び緑のカラーフィルタ層を用いたサブピクセル領域であり、
黄のカラーフィルタ層を用いたサブピクセル領域に走査ライン上で隣接するサブピクセル領域は、緑及び赤のカラーフィルタ層を用いたサブピクセル領域である請求項３に記載の表示パネル。
【発明の詳細な説明】
【技術分野】
【０００１】
本発明は、複数のピクセルにより表示画面が構成され、液晶表示装置、ＰＤＰ（Plasma Display Panel）、有機・無機ＥＬ（Electroluminescent）ディスプレイ、ＳＥＤ（Surface-conduction Electron-emitter Display）等の各種の表示装置に用いられる表示パネルに関する。
【背景技術】
【０００２】
従来の表示パネルの１つのピクセルは、赤（以下、Ｒと称す）、緑（以下、Ｇと称す）及び青（以下、Ｂと称す）からなる３原色のサブピクセルによって構成されており、これによりカラー表示されていた。従来の表示パネルにおいては、微妙な色合いに対して自然な発色を提供することが難しく、色再現範囲が狭いため、Ｒ、Ｇ、Ｂの３原色の色純度を濃くして色再現範囲を広くすることが図られているが、この場合、色が濃くなることに起因して輝度が低下するという問題があった。
【０００３】
そこで、サブピクセル数を増やして多原色化し、色の数を４色、５色、６色等と増加させることで、液晶表示装置等の色再現範囲を拡大することが図られている。しかし、これらの表示パネルでは、色再現範囲や輝度の点において有利な設計が可能となるが、色の増加とともにサブピクセルのサイズが小さくなり、ソースバスラインの数が増加し、開口率が大幅に低下してしまうという問題があった。従って、色空間領域の拡張を実現しながらソースバスラインの数の増加及び開口率の低下を抑制することが出来る表示パネルが求められている。
【０００４】
特許文献１には、１ピクセルがｎ色（ｎは、４以上の整数を表す）の原色を用いたサブピクセルから構成される表示パネルの発明が開示されている。この表示パネルは、１ピクセルあたり（ｎ−１個）の割合となるトランジスタでサブピクセルを駆動する形態となっている。
【特許文献１】特開２００６−６４９９３号公報
【発明の開示】
【発明が解決しようとする課題】
【０００５】
従来の表示パネルのように、１ピクセルが４色のサブピクセルから構成される場合は、色空間領域を十分に拡張することができないという問題があった。
特許文献１においては、具体的には１ピクセルが５色のサブピクセルを含んでおり、サブピクセルのサイズが小さくなるので、水平解像度が悪くなるという問題があった。
また、液晶テレビ受像機等の液晶表示装置等において、１ピクセルに黄（以下、Ｙｅと称す）、シアン（以下、Ｃと称す）のサブピクセルが含まれない場合、色空間領域が狭く、色再現性が良くないことが確認されている。
【０００６】
本発明は、斯かる事情状に鑑みてなされたものであり、一走査ラインの１ピクセルをＲ、Ｇ、Ｂ及びＣのサブピクセルから構成し、次の走査ラインの１ピクセルをＲ、Ｇ、Ｂ及びＹｅのサブピクセルから構成することにより、水平方向の解像度が良好であるとともに、色空間領域を拡大して、色再現性を良好にすることが出来、輝度も良好である表示パネルを提供することを目的とする。
【０００７】
また、本発明は、Ｃのサブピクセルを走査ライン上でＢのサブピクセルとＧのサブピクセルとの間に配し、Ｙｅのサブピクセルを走査ライン上でＧのサブピクセルとＲのサブピクセルとの間に配することにより、良好に混色され、色再現される表示パネルを提供することを目的とする。
【０００８】
そして、本発明は、カラーフィルタ部の一走査ラインの１ピクセル領域をＲ、Ｇ、Ｂ及びＣのカラーフィルタ層を用いたサブピクセル領域から構成し、次の走査ラインの１ピクセル領域をＲ、Ｇ、Ｂ及びＹｅのカラーフィルタ層を用いたサブピクセル領域から構成することにより、水平方向の解像度が良好であるとともに、色空間領域を拡大して、色再現性を良好にすることが出来、輝度も良好である表示パネルを提供することを目的とする。
【０００９】
さらに、本発明は、カラーフィルタ部のＣのサブピクセル領域を走査ライン上でＢのサブピクセル領域とＧのサブピクセル領域との間に配し、Ｙｅのサブピクセル領域を走査ライン上でＧのサブピクセル領域とＲのサブピクセルとの間に配することにより、良好に混色され、色再現される表示パネルを提供することを目的とする。
【課題を解決するための手段】
【００１０】
本発明に係る表示パネルは、５色の異なる原色を用いたサブピクセルを含むピクセルにより画像が構成される表示パネルにおいて、赤、緑、青及びシアンのサブピクセルから構成されるピクセルを有する走査ラインと、赤、緑、青及び黄のサブピクセルから構成されるピクセルを有する走査ラインとが交番的に配されていることを特徴とする。
【００１１】
本発明においては、１ピクセルが４色のサブピクセルから構成されるので、１ピクセルが５色以上のサブピクセルから構成される場合と比較して、水平方向の解像度が良好である。
上述したように、１ピクセルに黄及びシアンのサブピクセルが含まれると色空間領域が拡大するが、本発明においては、黄のサブピクセルとシアンのサブピクセルとが走査ラインに交互に配されるので、１ピクセルを４色のサブピクセルから構成して良好な水平解像度を保持するとともに、色空間領域を拡大して、色再現性を良好にすることが出来る。
また、輝度が大きい黄又はシアンが含まれるので、全体的な輝度が向上し、赤、緑及び青の彩度が良好になり、色がシャープになり、深み及びコントラストが増す。
【００１２】
本発明に係る表示パネルは、シアンのサブピクセルに走査ライン上で隣接するサブピクセルは、青及び緑のサブピクセルであり、黄のサブピクセルに走査ライン上で隣接するサブピクセルは、緑及び赤のサブピクセルであることを特徴とする。
【００１３】
色空間領域を示すグラフであるＣＩＥ表色系で、シアン色の領域は青色の領域と緑色の領域との間にあり、黄色の領域は、赤色の領域と緑色の領域との間にある。
本発明においては、シアンのサブピクセルは青のサブピクセルと緑のサブピクセルとの間にあり、黄のサブピクセルは赤のサブピクセルと青のサブピクセルとの間にあるので、良好に混色され、きめ細かく色再現される。
【００１４】
本発明に係る表示パネルは、５色の異なるカラーフィルタ層を用いたサブピクセル領域を含むピクセル領域を有するカラーフィルタ部を備える表示パネルにおいて、赤、緑、青及びシアンのカラーフィルタ層を用いたサブピクセル領域から構成されるピクセル領域を有する走査ラインと、赤、緑、青及び黄のカラーフィルタ層を用いたサブピクセル領域から構成されるピクセル領域を有する走査ラインとが交番的に配されていることを特徴とする。
【００１５】
本発明においては、１ピクセル領域が４色のサブピクセル領域から構成されるので、１ピクセル領域が５色以上のサブピクセル領域から構成される場合と比較して、水平方向の解像度が良好である。
本発明においては、黄のサブピクセル領域とシアンのサブピクセル領域とが走査ラインに交互に配されるので、１ピクセル領域を４色のサブピクセル領域から構成して良好な水平解像度を保持するとともに、色空間領域を拡大して、色再現性を良好にすることが出来る。
また、輝度が大きい黄又はシアンが含まれるので、全体的な輝度が向上し、赤、緑及び青の彩度が良好になり、色がシャープになり、深み及びコントラストが増す。
【００１６】
本発明に係る表示パネルは、シアンのカラーフィルタ層を用いたサブピクセル領域に走査ライン上で隣接するサブピクセル領域は、青及び緑のカラーフィルタ層を用いたサブピクセル領域であり、黄のカラーフィルタ層を用いたサブピクセル領域に走査ライン上で隣接するサブピクセル領域は、緑及び赤のカラーフィルタ層を用いたサブピクセル領域であることを特徴とする。
【００１７】
本発明においては、シアンのサブピクセル領域は青のサブピクセル領域と緑のサブピクセル領域との間にあり、黄のサブピクセル領域は赤のサブピクセル領域と青のサブピクセル領域との間にあるので、良好に混色され、きめ細かく色再現される。
【発明の効果】
【００１８】
本発明によれば、一走査ラインの１ピクセルをＲ、Ｇ、Ｂ及びＣのサブピクセルから構成し、次の走査ラインの１ピクセルをＲ、Ｇ、Ｂ及びＹｅのサブピクセルから構成しているので、水平方向の解像度が良好であるとともに、色空間領域を拡大して、色再現性を良好にすることが出来る。また、輝度も良好であり、Ｒ、Ｇ及びＢの彩度が良好になり、色がシャープになり、深み及びコントラストが増す。
従って、この表示パネルを用いたハイビジョンテレビ受像機等の表示装置においては、良好な映像の解像度を有した状態で、色空間領域を広げることが出来、高品位な画像を提供することが出来る。
【００１９】
また、本発明によれば、Ｃのサブピクセルが走査ライン上でＢのサブピクセルとＧのサブピクセルとの間に配され、Ｙｅのサブピクセルが走査ライン上でＧのサブピクセルとＲのサブピクセルとの間に配されているので、良好に混色され、きめ細かく色再現される。
従って、この表示パネルを用いたハイビジョンテレビ受像機等の表示装置においては、さらに高品位な画像を提供することが出来る。
【００２０】
そして、本発明によれば、カラーフィルタ部の一走査ラインの１ピクセル領域をＲ、Ｇ、Ｂ及びＣのカラーフィルタ層を用いたサブピクセル領域から構成し、次の走査ラインの１ピクセル領域をＲ、Ｇ、Ｂ及びＹｅのカラーフィルタ層を用いたサブピクセル領域から構成しているので、水平方向の解像度が良好であるとともに、色空間領域を拡大して、色再現性を良好にすることが出来る。また、輝度も良好であり、Ｒ、Ｇ及びＢの彩度が良好になり、色がシャープになり、深み及びコントラストが増す。
従って、この表示パネルを用いたハイビジョンテレビ受像機等の表示装置においては、良好な映像の解像度を有した状態で、色空間領域を広げることが出来、高品位な画像を提供することが出来る。
【００２１】
さらに、本発明によれば、カラーフィルタ部のＣのサブピクセル領域を走査ライン上でＢのサブピクセル領域とＧのサブピクセル領域との間が配され、Ｙｅのサブピクセル領域が走査ライン上でＧのサブピクセル領域とＲのサブピクセルとの間に配されているので、良好に混色され、きめ細かく色再現される。
従って、この表示パネルを用いたハイビジョンテレビ受像機等の表示装置においては、さらに高品位な画像を提供することが出来る。
【発明を実施するための最良の形態】
【００２２】
以下、本発明をその実施の形態を示す図面に基づき具体的に説明する。
実施の形態１．
図１は、本発明の実施の形態１に係る表示パネルのピクセルを面状に配した画面の一部を示す模式図である。
この画面においては、走査ラインの一ライン目の１ピクセルがＲ、Ｇ、Ｂ及びＣのサブピクセルから構成され、次ラインの１ピクセルがＲ、Ｇ、Ｂ及びＹｅのサブピクセルから構成されており、ＣのサブピクセルとＹｅのサブピクセルとが垂直方向に交互に配されている。
なお、図１においては、Ｒ、Ｇ、Ｂ、Ｃ、Ｙｅの色配列をストライプ配列とした場合につき説明しているが、これに限定されるものではなく、モザイク配列等にしてもよい。
【００２３】
本実施の形態においては、１ピクセルが４色のサブピクセルから構成されるので、１ピクセルが５色以上のサブピクセルから構成される場合と比較して、水平方向の解像度が良好である。
そして、本実施の形態においては、ＹｅのサブピクセルとＣのサブピクセルとが走査ラインに交互に配されるので、良好な水平解像度を保持するとともに、色空間領域を拡大して、色再現性を良好にすることが出来る。
また、輝度が大きいＹｅ又はＣが含まれるので、全体的な輝度が向上し、Ｒ、Ｇ及びＢの彩度が良好になり、色がシャープになり、深み及びコントラストが増す。
従って、この表示パネルを用いたハイビジョンテレビ受像機等の表示装置においては、良好な映像の解像度を有した状態で、色空間領域を広げることが出来、高品位な画像が得られる。
【００２４】
実施の形態２．
図２は、本発明の実施の形態２に係る表示パネルのピクセルを面状に配した画面の一部を示す模式図である。
この画面においては、実施の形態１と同様に、走査ラインの一ライン目の１ピクセルがＧ、Ｒ、Ｂ及びＣのサブピクセルから構成され、次ラインの１ピクセルがＲ、Ｂ、Ｇ及びＹｅのサブピクセルから構成されており、ＣのサブピクセルとＹｅのサブピクセルとが垂直方向に交互に配されている。
そして、本実施の形態においては、Ｃのサブピクセルに走査ライン上で隣接するサブピクセルは、Ｂ及びＧのサブピクセルであり、Ｙｅのサブピクセルに走査ライン上で隣接するサブピクセルは、Ｇ及びＲのサブピクセルであるように構成されている。
【００２５】
本実施の形態においては、ＣのサブピクセルはＢのサブピクセルとＧのサブピクセルとの間にあり、ＹｅのサブピクセルはＲのサブピクセルとＧのサブピクセルとの間にあるので、良好に混色され、きめ細かく色再現される。
従って、この表示パネルを用いたハイビジョンテレビ受像機等の表示装置においては、さらに高品位な画像が得られる。
【００２６】
実施の形態３．
図３は、本発明の実施の形態３に係る表示パネルを備える液晶表示装置１の構成を示すブロック図である。
【００２７】
液晶表示装置１は、例えば、ＰＣ、カメラ及びＴＶチューナー等の画像データを出力する機器に接続され、又は備えられるものであり、データ入力部２、データ変換部３、駆動波形生成部４、信号出力制御部５、ゲート駆動部６（ゲートドライバ）、ソース駆動部７（ソースドライバ）、液晶表示パネル８、及びバックライト９（図５参照）を備えている。
【００２８】
データ入力部２は、画像データを出力する機器から入力された画像信号を、液晶表示パネル８の解像度に対応させてデジタル信号に変換する回路であり、変換したデジタル信号をデータ変換部３へ出力する。
【００２９】
データ変換部３は、入力されたデジタル信号を、液晶表示パネル８のサブピクセルに適合するように変換する回路であり、変換して得られたＲ、Ｇ、Ｂ、Ｃ、Ｙｅの画像データ信号を信号出力制御部５へ出力する。
【００３０】
駆動波形生成部４は、データ入力部２により入力された画像信号に基づき、ゲート駆動部６及びソース駆動部７を駆動させるための垂直同期信号、水平同期信号、並びに水平同期信号に同期してＣ及びＹｅの画像データ信号をゲートバスライン（走査ライン）毎に交互に出力するためのパルス信号を生成して、その信号をゲート駆動部６及び信号出力制御部５へ出力する。
なお、垂直同期信号は１フレーム周期毎に出力されるパルス信号であり、水平同期信号は１ライン走査周期毎に出力されるパルス信号である。
【００３１】
図４は、駆動波形生成部４によって生成される垂直同期信号、水平同期信号、並びに水平同期信号に同期してＣ及びＹｅの画像データ信号をゲートバスライン毎に交互に出力するためのパルス信号を示す波形図であり、（ａ）は垂直同期信号、（ｂ）は水平同期信号、（ｃ）は前記パルス信号を示す波形図である。図中、Ｖはフレーム周期であり、Ｈはライン走査周期である。
後述するように、液晶表示パネル８は、Ｒ、Ｇ、Ｂ及びＣのサブピクセルから構成されるピクセルを有するゲートバスラインと、Ｒ、Ｇ、Ｂ及びＹｅのサブピクセルから構成されるピクセルを有するゲートバスラインとが交番的に配されているので、前記パルス信号においては、ライン走査周期の１周期目にはＣの画像データ信号が、２周期目にはＹｅの画像データ信号が出力されるように構成されている。
【００３２】
ゲート駆動部６は、液晶表示パネル８の後述するＴＦＴ（Thin Film Transistor）を開閉させる信号を生成する回路であり、液晶表示パネル８の各ゲートバスラインに順次電圧を印加する。
【００３３】
ソース駆動部７は、画像データ信号に基づき、液晶表示パネル８の各サブピクセルに印加するための信号電圧を生成する回路であり、液晶表示パネル８の各ソースバスライン（信号ライン）に信号電圧を印加する。
【００３４】
駆動波形生成部４で生成された前記パルス信号に基づき、信号出力制御部５は、入力されたＲ、Ｇ、及びＢの画像データ信号、並びにＣ及びＹｅの画像データ信号のうちの一方の画像データ信号を水平同期信号に同期させて、ゲートバスライン毎にソース駆動部７へ出力する。
【００３５】
図５は、液晶表示パネル８の概略構成を示すブロック図である。
液晶表示パネル８のＴＦＴ基板８１の一面には、サブピクセル領域毎に、ＴＦＴ８２及び画素電極８３が形成されている。ＴＦＴ８２及び画素電極８３を覆うように液晶層８４が形成され、液晶分子が封入されている。ＴＦＴ８２は、ＦＥＴ（電界効果型トランジスタ）等からなり、ゲート電極がゲートバスラインに接続され、ソース電極が画素電極８３に接続されている。
【００３６】
カラーフィルタ基板８６の一面にはカラーフィルタ部８７が形成されており、カラーフィルタ基板８６は、カラーフィルタ部８７を液晶層８４に対向させて配置されている。カラーフィルタ部８７のＴＦＴ基板８１側の面を覆うように、対向電極８５が形成されている。
【００３７】
図６は、カラーフィルタ部８７の一部を示す平面図である。
カラーフィルタ部８７は、カラーフィルタ基板８６上に形成された、Ｒ、Ｇ、Ｂ、Ｃ、Ｙｅの５色に対応する５つのサブピクセル領域と、各サブピクセルを隔離するブラックマトリクス８７６とからなる。
ゲートバスラインの１ライン目のサブピクセル領域には、Ｒのカラーフィルタ層８７１、Ｇのカラーフィルタ層８７２、Ｂのカラーフィルタ層８７３、及びＣのカラーフィルタ層８７４がそれぞれ形成されており、２ライン目のサブピクセル領域には、Ｒのカラーフィルタ層８７１、Ｇのカラーフィルタ層８７２、Ｂのカラーフィルタ層８７３、及びＹｅのカラーフィルタ層８７５がそれぞれ形成されており、Ｃのカラーフィルタ層８７４と黄のカラーフィルタ層８７５とが垂直方向に交互に配されている。
一組のＴＦＴ８２、画素電極８３、カラーフィルタ層、対向電極８５と、これらの間に挟まれた液晶表示８４により、サブピクセルが構成される。
【００３８】
図５において、カラーフィルタ基板８６及びＴＦＴ基板８１の外側の面には、それぞれ偏向板８８、８９が形成されている。偏向板８９の外側には、バックライト９が配されている。
バックライト９は、光源であり、このバックライト９から発した光の透過量を変化させることにより、液晶表示パネル８に像が表示される。
【００３９】
図７は、液晶表示パネル８の駆動回路の一部を示す模式図である。
上述したように、１ライン目のゲートバスラインＨＬ１のピクセルは、Ｒ、Ｇ、Ｂ、Ｃのサブピクセルからなり、次ラインのゲートバスラインＨＬ２のピクセルは、Ｒ、Ｇ、Ｂ、Ｙｅのサブピクセルからなり、Ｃ及びＹｅのサブピクセルは垂直方向に交互に配されている。
【００４０】
ゲート駆動部６は、各ゲートバスラインＨＬ１、ＨＬ２、ＨＬ３、ＨＬ４、…に順次、電圧を印加する。ゲートバスラインに電圧が印加されると、該ゲートバスラインにゲートが接続されている前記ＴＦＴ８２（図示せず）がオン状態になる。
【００４１】
上述したように、ソース駆動部７には、信号出力制御部５から、水平同期信号に対応するゲートバスラインＨＬ１、ＨＬ２、ＨＬ３、ＨＬ４、…各々におけるＲ、Ｇ及びＢの画像データ信号、並びにＣ又はＹｅの画像データ信号が入力され、ソース駆動部７は、ゲートバスラインＨＬ１、ＨＬ２、ＨＬ３、ＨＬ４、…各々に対応して、Ｒ、Ｇ及びＢ用のソースバスライン、並びにＣ用又はＹｅ用のソースバスラインに、前記画像データ信号に基づく信号電圧を印加する。
ＴＦＴ８２がオン状態になると、ソース駆動部７により印加されたＲ、Ｇ及びＢ用のソースバスライン、並びにＣ用又はＹｅ用のソースバスラインの信号電圧がＴＦＴ８２を介して前記画素電極８３（図示せず）へ充電され、画素電極８３と前記対向電極８５（図示せず）との間の電圧により前記液晶層８４（図示せず）の液晶分子の配置が変化し、バックライト９から入射される光の透過量が変化して、表示が行われる。
【００４２】
以上のように構成された本実施の形態の液晶表示装置１においては、１ピクセルが４色のサブピクセルからなり、入力された画像信号に基づき得られたＲ、Ｇ、Ｂ、Ｃ及びＹｅの画像データ信号のうち、Ｃ及びＹｅの画像データ信号は液晶表示パネル８のサブピクセルの配置に対応して、ゲートバスライン毎に交互に出力されるように構成されているので、１ピクセルが５色以上のサブピクセルからなる場合と比較して、水平方向の解像度が良好であり、しかも１ピクセルにＣ又はＹｅのサブピクセルが含まれるので、色空間領域を拡大して、色再現性を良好にすることが出来る。
また、輝度が大きいＣ又はＹｅが含まれるので、全体的な輝度が向上し、Ｒ、Ｇ及びＢの彩度が良好になり、色がシャープになり、深み及びコントラストが増す。
従って,この液晶表示装置１をハイビジョンテレビ受像機等の液晶表示装置に適用した場合、高品位な画像が得られる。
【００４３】
なお、前記実施の形態においては、データ変換部３によりＲ、Ｇ、Ｂ、Ｃ及びＹｅの画像データ信号が得られる場合につき説明しているがこれに限定されるものではなく、データ変換部においてはＲ、Ｇ及びＢの画像データ信号が得られ、この画像データ信号に基づきＣ及びＹｅの画像データ信号を生成することにしてもよい。
【００４４】
図８は、本発明の実施の形態４に係る表示パネルのカラーフィルタ部９７の一部を示す平面図である。
実施の形態４の液晶表示装置は、カラーフィルタ部９７のみが実施の形態３に係る液晶表示装置１と異なる。
カラーフィルタ部９７は、カラーフィルタ基板（図示せず）上に形成された、Ｒ、Ｇ、Ｂ、Ｃ及びＹｅの５色に対応する５つのサブピクセル領域と、各サブピクセル領域を隔離するブラックマトリクス９７６とからなる。走査ラインの１ライン目の各サブピクセル領域には、Ｇのカラーフィルタ層９７１、Ｒのカラーフィルタ層９７２、Ｂのカラーフィルタ層９７３、及びＣのカラーフィルタ層９７４がそれぞれ形成されており、２ライン目の各サブピクセル領域には、Ｒのカラーフィルタ層９７２、Ｂのカラーフィルタ層９７３、Ｇのカラーフィルタ層９７１、及びＹｅのカラーフィルタ層９７５がそれぞれ形成されており、Ｃのカラーフィルタ層９７４とＹのカラーフィルタ層９７５とが垂直方向に交互に配されている。
【００４５】
本実施の形態においては、Ｃのカラーフィルタ層９７４に走査ライン上で隣接するカラーフィルタ層は、Ｂのカラーフィルタ層９７３及びＧのカラーフィルタ層９７１であり、Ｙｅのカラーフィルタ層９７５に走査ライン上で隣接するカラーフィルタ層は、Ｇのカラーフィルタ層９７１及びＲのカラーフィルタ層９７２である。
【００４６】
本実施の形態においては、Ｃのカラーフィルタ層９７４はＢのカラーフィルタ層９７３とＧのカラーフィルタ層９７１との間にあり、Ｙｅのカラーフィルタ層９７５はＲのカラーフィルタ層９７２とＢのカラーフィルタ層９７３との間にあるので、良好に混色され、きめ細かく色再現される。
従って、この表示パネルを用いたハイビジョンテレビ受像機等の表示装置においては、さらに高品位な画像が得られる。
【００４７】
前記実施の形態３及び４においては、本発明の表示パネルを、バックライトを備える液晶表示装置に適用した場合につき説明しているがこれに限定されるものではなく、自発光型の液晶表示装置に適用してもよい。また、表示装置は、液晶表示装置に限定されるものではなく、ＰＤＰ、有機・無機ＥＬディスプレイ、ＳＥＤ等の表示装置に適用することが可能である。この場合、カラーフィルタ部が不要である。
【図面の簡単な説明】
【００４８】
【図１】本発明の実施の形態１に係る表示パネルのピクセルを面状に配した画面の一部を示す模式図である。
【図２】本発明の実施の形態２に係る表示パネルのピクセルを面状に配した画面の一部を示す模式図である。
【図３】本発明の実施の形態３に係る表示パネルを備える液晶表示装置の構成を示すブロック図である。
【図４】駆動波形生成部によって生成される垂直同期信号、水平同期信号、並びに水平同期信号に同期してＣ及びＹｅの画像データ信号をゲートバスライン毎に交互に出力するためのパルス信号を示す波形図である。
【図５】液晶表示パネルの概略構成を示すブロック図である。
【図６】カラーフィルタ部の一部を示す平面図である。
【図７】液晶表示パネルの駆動回路の一部を示す模式図である。
【図８】本発明の実施の形態４に係る表示パネルのカラーフィルタの一部を示す平面図である。
【符号の説明】
【００４９】
１  液晶表示装置
２  データ入力部
３  データ変換部
４  駆動波形生成部
５  信号出力制御部
６  ゲート駆動部
７  ソース駆動部
８  液晶表示パネル
８１  ＴＦＴ基板
８２  ＴＦＴ
８３  画素電極
８４  液晶層
８５  対向電極
８６  カラーフィルタ基板
８７、９７  カラーフィルタ部
８７１、８７２、８７３、８７４、８７５、９７１、９７２、９７３、９７４、９７５  カラーフィルタ層
８７６、９７６  ブラックマトリクス
８８、８９  偏光板
９  バックライト
【図１】
2008064988.tif 000003
【図２】
2008064988.tif 000004
【図３】
2008064988.tif 000005
【図４】
2008064988.tif 000006
【図５】
2008064988.tif 000007
【図６】
2008064988.tif 000008
【図７】
2008064988.tif 000009
【図８】
2008064988.tif 000010